【手続補正書】
【提出日】平成17年7月7日(2005.7.7)
【手続補正１】
【補正対象書類名】明細書
【補正対象項目名】特許請求の範囲
【補正方法】変更
【補正の内容】
【特許請求の範囲】
【請求項１】
第１の面と、
第２の面と
を有する光ディスクであって、
複数のデータゾーンに配列されたサーボトラックを有する記録層と、
前記複数のデータゾーンに１対１に対応する複数のクロックパターンと
を有し、
前記クロックパターンそれぞれは、
前記クロックパターンそれぞれに対応するデータゾーンに、データを書き込むために用いられる書き込みクロックを決定するための構造
を有し、
前記クロックパターンは、前記ディスクの領域の中にグループ化され、少なくとも前記第１の面および前記第２の面のいずれかの上の少なくとも１つのクロックトラックの中に形成されている
光ディスク。
【請求項２】
前記複数のデータゾーンは、実質的に、定角速度（ＣＡＶ）データゾーンであって、第１の面および第２の面の少なくとも一方に、同心円状に配列されている
請求項１に記載の光ディスク。
【請求項３】
前記複数のクロックパターンは、複数の環状クロックトラックの中に形成されている
請求項１または２に記載の光ディスク。
【請求項４】
環状クロックトラックそれぞれは、
前記データゾーンのいずれかに一意なクロック情報を有するクロックパターン
を含み、
前記環状クロックトラックは、
前記複数のデータゾーンと１対１の関係
を有する
請求項３に記載の光ディスク。
【請求項５】
前記複数の環状クロックトラックは、前記複数のデータゾーンの内側の端または外側の端の付近において、互いに並列に配置されている
請求項３または４に記載の光ディスク（３０）。
【請求項６】
少なくとも前記データゾーンのいずれかの冗長の環状クロックトラック
をさらに含み、
前記冗長環状クロックトラックは、実質的に、第１の環状クロックトラックの複製である
請求項３〜５のいずれかに記載の光ディスク。
【請求項７】
前記冗長環状クロックトラックは、前記第１の環状クロックトラックに隣接して位置する
請求項６に記載の光ディスク。
【請求項８】
前記冗長環状クロックトラックは、前記第１の環状クロックトラックと実質的に同一な集合に隣接した位置をとる
請求項６に記載の光ディスク。
【請求項９】
１つのクロックトラックは、第１のクロックパターンと、第２のクロックパターンとを含み、前記第１のクロックパターンは、第１のデータゾーンと一意に対応し、前記第２のクロックパターンは、第２のデータゾーンと一意に対応する
請求項１に記載の光ディスク。
【請求項１０】
前記複数のクロックパターンは、前記光ディスクの第２の面に位置し、
前記データゾーンは、前記第１の面に位置する
請求項１に記載の光ディスク。
【請求項１１】
前記少なくとも１つのクロックトラックは、
それのなかに形成された前記クロックパターンを有するスパイラルクロックトラック
を含む
請求項１に記載の光ディスク。
【請求項１２】
前記光ディスクは、
第１の螺旋状のクロックトラックと実質的に同一な冗長スパイラルクロックトラックを、少なくとも１つ
含む
請求項１１に記載の光ディスク。
【請求項１３】
前記スパイラルクロックトラックは、
前記複数のデータゾーンと、前記スパイラルクロックトラックの回転との間の１対１の対応
を有し、
回転それぞれは、
データゾーンに対応するクロックパターン
を有する
請求項１１に記載の光ディスク。
【請求項１４】
前記複数のクロックパターンは、複数のクロックトラックの中に形成され、
前記クロックトラックは、前記クロックトラックの全てが、精密位置決め装置を用いた変換器により読まれうるように、前記クロックトラックは、互いに充分に近接した位置をとる
請求項１１に記載の光ディスク。
【請求項１５】
前記複数のクロックパターンは、前記光ディスクの内側の端の近くに位置し、
前記複数のデータゾーンに１対１に対応する第２の複数のクロックパターンは、前記光ディスクの外側の端の近くに位置する
請求項１に記載の光ディスク。
【請求項１６】
光ディスクの複数のデータゾーンの任意のいずれかの中に位置するサーボトラックに沿ってデータの読み取りおよび書き込みを行う第１の変換手段であって、
前記複数のデータゾーンそれぞれは、一意に対応する前記光ディスクのクロックトラックの中に位置するクロックパターンを有し、
前記クロックトラックは、前記ディスクの領域の中にグループ化された複数のクロックトラックのいずれかである
第１の変換手段と、
前記クロックトラックから、前記クロックパターンのいずれかを読み取る第２の変換手段であって、
前記クロックトラックは、データゾーンに一意に対応し、
前記データゾーンは、前記第１の変換手段による書き込みの対象となり、
クロックパターンから、基準クロック信号を生成する
第２の変換手段と、
前記第２の変換手段が、クロックパターンを、前記複数のクロックパターンのいずれの１つからであろうとも読み取ることができるように、前記第２の変換手段の位置決めする制御手段であって、
前記複数のクロックパターンの１つは、前記データゾーンに対応するクロックパターンを含み、
前記データゾーンは、前記第１の変換手段による書き込みの対象とされる
制御手段と、
前記第２の変換手段から前記基準クロックを受け取り、一意に対応する書き込みクロック信号を生成するクロック回路手段であって、
前記一意に対応する書き込みクロック信号は、前記対象とされたデータゾーンへのデータの書き込みのために、前記第１の変換手段により用いられる
クロック回路手段と
を有する光ディスクドライブ装置。
【請求項１７】
前記第２の変換手段は、隣接した第１の基準クロックトラックおよび第２の基準クロックトラックを同時に読み出す拡大された焦点位置を有し、
前記第１の基準クロックトラックおよび前記第２の基準クロックトラックは、第１のデータゾーンおよび第２のデータゾーンに対応する前記一意に対応するクロックパターンを含む
請求項１６に記載の光ディスクドライブ装置。
【請求項１８】
前記クロック回路手段は、
２つの書き込みクロックを、１つのクロックトラックから同時に生成する回路であって、
前記１つのクロックトラックは、第１のデータゾーンおよび第２のデータゾーンに対応するクロックパターンを含む
回路
を有する
請求項１６に記載の光ディスクドライブ装置。
【請求項１９】
前記第１の変換手段は、前記光ディスクの第１の側に反応して位置決めされ、
前記第２の変換手段は、前記光ディスクの第２の側に反応して位置決めされる
請求項１６に記載の光ディスクドライブ装置。
【請求項２０】
前記第２の変換手段は、
前記光ディスクの内側の端を読み出すように位置決めされ、
前記光ディスクの外側の端を読み出すように位置決めされている以外は、前記第２の変換手段と実質的に同じ第３の変換手段
をさらに有する
請求項１６に記載の光ディスクドライブ装置。
【請求項２１】
前記第２の変換手段は、
精密位置決め装置の最大に調整可能なアクセス範囲
を有する
請求項１６に記載の光ディスクドライブ装置。
【請求項２２】
書き換え可能光ディスクのＣＡＶゾーン境界を越えてデータを書き込むときの書き込みクロック信号を生成する方法であって、
データ書き込みレーザ光により前記データの第１の部分が書き込まれるべき光ディスクの第１のデータゾーンを識別するステップと、
クロック読み取りレーザ光により、前記第１のデータゾーンに一意に対応するクロックパターンを読み取り、第１の基準クロック信号を生成するステップと、
前記第１の基準クロック信号から、第１の書き込みクロック信号を生成するステップと、
前記データの前記第１の部分を、前記第１の書き込みクロック信号に従って、前記第１のデータゾーンへ書き込むステップと、
前記データ書き込みレーザ光により前記データの第２の部分が書き込まれるべき前記光ディスクの第２のデータゾーンを識別するステップと、
前記クロック読み取りレーザ光により、前記第２のデータゾーンに一意に対応するクロックパターンを読み取り、第２の基準クロック信号を生成するステップと、
前記第２の基準クロック信号から、第２の書き込みクロック信号を生成するステップと、
前記データの前記第２の部分を、前記第２の書き込み信号に従って前記第２のデータゾーンへ書き込むステップと
を有し、
前記第１のクロックパターンおよび前記第２のクロックパターンは、前記光ディスクの領域の中でグループ化されている
方法。
【請求項２３】
前記第１のデータゾーンに、一意に対応するクロックパターンを読み取るステップは、
前記クロック読み取りレーザ光を、前記第１のデータゾーンに対応する第１のクロックトラックと光学接触を得るように、精密位置決め装置を利用して位置合せをするステップ
を含み、
前記第２のデータゾーンに一意に対応するクロックパターンを読み取るステップは、
前記クロック読み取りレーザ光を、前記第２のデータゾーンに対応する第２のクロックトラックと光学接触を得るように、前記精密位置決め装置を利用して位置合せをするステップ
を含む
請求項２２に記載の方法。
【請求項２４】
前記第１のデータゾーンに一意に対応するクロックパターンを読み取るステップ、および、前記第２のデータゾーンに一意に対応するクロックパターンを読み取る前記ステップは、
前記第１のデータゾーンに一意に対応する前記クロックパターンと、前記第２のデータゾーンに一意に対応する前記クロックパターンの両方を含むクロックトラックを読み取るステップ
を含み、
前記第１の基準クロック信号と、前記第２の基準クロック信号とを、電子的に分離するステップ
をさらに含む
請求項２２に記載の方法。